(57)【特許請求の範囲】
【請求項１】
被記録媒体に画像を記録する画像記録装置であって、
被記録媒体が載置されるトレイと、
上記トレイが配置されて外部へ開口する内部空間を有する筐体と、
上記内部空間の天面を区画する第１壁と、
上記筐体の内部において上記第１壁の上側に隙間を隔てて配置されたシールド板と、
上記筐体の内部において上記シールド板の上側に配置された基板と、
上記筐体の少なくとも上面を区画する操作パネルと、
上記操作パネルの凹部に回動可能に設けられたディスプレイと、
上記内部空間の開口より上側に設けられた上記筐体の壁の内面側に、上記基板及び上記シールド板から離間されて設けられており、上記凹部を貫通する第１孔から上記筐体内へ流れ込んだ液体が重力により下方へ流れる第１流路と、
上記第１流路の下流端に接続されて水平方向へ延びる水平部分の端から上記内部空間へ液体を流し込むように形成され、上記水平部分における上側に流入孔を有し、上記シールド板よりも上方に位置する当該流入孔から上記第１流路を流れた液体が流れ込む第２流路と、
上記第２流路の水平部分に接続されて上記第２流路から液体が流れ込む、上記隙間へ延出された第３流路と、を備えた画像記録装置。
【請求項２】
上記第２流路の水平部分と上記第３流路とは、上記水平部分の底より上側に位置する分岐口を通じて接続されたものである請求項１に記載の画像記録装置。
【請求項３】
上記シールド板は、その周縁に第２孔を有しており、
上記第３流路の一部は、上記第２孔により区画されたものである請求項１または２に記載の画像記録装置。
【請求項４】
上記凹部を貫通する第３孔に挿通されており、上記ディスプレイと上記基板とを電気的に接続するハーネスを更に具備しており、
上記第１孔及び上記第３孔は、上記凹部の底に配置されたものであり、
上記第３孔の周縁に、上記凹部の底から上向きへ突出されたリブが設けられたものである請求項１から３のいずれかに記載の画像記録装置。
【請求項５】
上記操作パネルは、画像記録装置の正面側に配置されたものであり、
上記内部空間は、画像記録装置の正面へ開口するものである請求項１から４のいずれかに記載の画像記録装置。
【発明の詳細な説明】
【技術分野】
【０００１】
本発明は、筐体の内部空間にトレイが配置されており、筐体の上面側にディスプレイが設けられた画像記録装置に関する。
【背景技術】
【０００２】
従来より、トレイに載置された被記録媒体を搬送して画像を記録する画像記録装置が知られている（特許文献１参照）。この画像記録装置では、供給トレイがケース本体のトレイ収納部に脱抜可能に設けられている。また、ケース本体の上面には操作パネルが設けられている。操作パネルの下方であってトレイ収納部の上側には回路基板（メイン基板）が設けられている。回路基板は、シールドケースにより上下方向から覆われている。
【０００３】
操作パネルとして、ディスプレイやタッチパネルが設けられているものがある。ディスプレイの視認性やタッチパネルの操作性を向上させるために、ディスプレイ等を操作パネルに対して起伏するように回動可能とした構成が公知である。また、このような構成において、倒伏させたディスプレイ等が操作パネルから突出しないように、ディスプレイ等が嵌り込む凹部が操作パネルに形成されている。ディスプレイ等は、ケース本体内に設けられた回路基板とハーネスにより電気的に接続されている。このハーネスを挿通するための孔が、操作パネルの凹部に設けられることがある。
【先行技術文献】
【特許文献】
【０００４】
【特許文献１】特開２０１０−２３５２６号公報
【発明の概要】
【発明が解決しようとする課題】
【０００５】
画像記録装置を操作するユーザが、誤って操作パネルに水や飲み物などの液体を零すことがある。操作パネルに零れた液体は、凹部に溜まってハーネスが挿通されている孔からケース本体内へ流入する。流入した液体は、例えばハーネスを伝って回路基板へ到達する。ケース本体内に流入した液体が回路基板に到達すると、回路の短絡や、電子部品の損傷が生じるおそれがある。このような問題を回避すべく、凹部において別に貫通孔を設け、その貫通孔からケース本体内に流入した液体を、回路基板に接することなくトレイ収納部へ流出させるための流路が設けられる。
【０００６】
しかし、ディスプレイ等が大型化されるに伴って操作パネルの凹部も大きくなり、凹部に溜まる液体の量が増えてきている。その結果、ケース本体内へ流入する液体の量も多くなり、前述された流路から液体が溢れるおそれがある。これに対し、例えば、流路の断面を大きくしたり、流路の数を増やしたりすることが考えられるが、その結果、大きくしたり増やした流路のためのスペースがケース本体内に必要となり、装置が大型化するという問題が生じる。また、流路における液体の流速を速めるために、流路を主として上下方向に延出させると、流路の出口から回路基板まで繋がる空間の距離が短くなるため、ユーザの手や被記録媒体などに蓄積された静電気が、ケース本体の外部から回路基板へ放電されるリスクが増える。
【０００７】
本発明は、前述された事情に鑑みてなされたものであり、その目的とするところは、装置の大型化や、静電気が基板へ放電されるリスクを増やすことなく、操作パネルに零れた液体が基板に到達することを防止できる手段を提供することにある。
【課題を解決するための手段】
【０００８】
(1)  本発明は、被記録媒体に画像を記録する画像記録装置に関する。画像記録装置は、被記録媒体が載置されるトレイと、上記トレイが配置されて外部へ開口する内部空間を有する筐体と、上記内部空間の天面を区画する第１壁と、上記筐体の内部において上記第１壁の上側に隙間を隔てて配置されたシールド板と、上記筐体の内部において上記シールド板の上側に配置された基板と、上記筐体の少なくとも上面を区画する操作パネルと、上記操作パネルの凹部に回動可能に設けられたディスプレイと、上記内部空間の開口より上側に設けられた上記筐体の壁の内面側に、上記基板及び上記シールド板から離間されて設けられており、上記凹部を貫通する第１孔から上記筐体内へ流れ込んだ液体が重力により下方へ流れる第１流路と、上記第１流路の下流端に接続されて水平方向へ延びる水平部分を介して上記内部空間へ延出されており、上記水平部分における上側が開口されており、当該開口が上記シールド板よりも上方に位置する第２流路と、上記第２流路の水平部分に接続されて上記隙間へ延出された第３流路と、を備えている。
【０００９】
ユーザが水などの液体を操作パネルに零すと、操作パネルの凹部に液体が溜まる。溜まった液体は、凹部の第１孔から筐体内へ流れ込む。この液体は、重力に従って、第１流路及び第２流路を通じて筐体の内部空間へ流出される。また、液体は、第２流路から第３流路を通じて、シールド板と第１壁との隙間へ流出される。
【００１０】
(2)  上記第２流路の水平部分と上記第３流路とは、上記水平部分の底より上側に位置する分岐口を通じて接続されたものであってもよい。分岐口が底より上側に配置されているので、第２流路の水平部分において、分岐口に到達しない程度の量の液体が流れるときには、第３流路へ液体が流入しない。これにより、筐体内へ流れ込んだ液体が少ない場合には、第３流路より優先して、第２流路から筐体の内部空間へ液体を流出させることができる。
【００１１】
(3)  上記シールド板は、その周縁に第２孔を有しており、上記第３流路の一部は、上記第２孔により区画されたものであってもよい。これにより、第３流路を流れる液体が、確実にシールド板の下側へ流れ込む。
【００１２】
(4)  本発明の画像記録装置は、上記凹部を貫通する第３孔に挿通されており、上記ディスプレイと上記基板とを電気的に接続するハーネスを更に具備したものであってもよい。上記第１孔及び上記第３孔は、上記凹部の底に配置されている。上記第３孔の周縁に、上記凹部の底から上向きへ突出されたリブが設けられている。リブにより第３孔へ液体が流入することが防止される。したがって、第３孔より、第１孔へ優先的に液体が流入するので、凹部に溜まった液体が第３孔へ流入して、ハーネスを伝って基板へ到達することが防止される。
【００１３】
(5)  上記操作パネルは、画像記録装置の正面側に配置されたものであり、上記内部空間は、画像記録装置の正面へ開口するものであってもよい。これにより、操作パネル及びトレイへ装置正面からアクセスすることができるので、装置の操作性がよい。
【発明の効果】
【００１４】
本発明によれば、第３流路を通じて、第２流路からシールド板と第１壁との隙間へ液体を流出させることができるので、装置の大型化や、静電気が基板へ放電されるリスクを増やすことなく、操作パネルに零れた液体が基板に到達することを防止できる。
【図面の簡単な説明】
【００１５】
【図１】図１は、画像記録装置１０の斜視図である。
【図２】図２は、筐体１９内におけるプリンタ部１１の模式的な縦断面図である。
【図３】図３は、プリンタ部１１の正面側の分解斜視図である。
【図４】図４は、プリンタ部１１の背面側の分解斜視図である。
【図５】図５は、第２流入孔１０３を通るプリンタ部１１の上部の縦断面図である。
【図６】図６は、図３のＶＩ部の拡大図である。
【図７】図７は、基板９０及び前カバー８０が取り付けられた状態の第１筐体４０の背面側の斜視図である。
【発明を実施するための形態】
【００１６】
以下、本発明の実施形態について説明がされる。なお、実施形態は本発明の一例にすぎず、本発明の要旨を変更しない範囲で実施形態を適宜変更できることは言うまでもない。以下の説明では、画像記録装置１０を使用可能に設置した状態（図１の状態）を基準として上下方向７が定義されている。また、操作パネル６０が画像記録装置１０の前面（正面）側に設けられているものとして前後方向８が定義されている。また、画像記録装置１０を前側から見て左右方向９が定義されている。
【００１７】
図１に示されるように、画像記録装置１０は、下部のプリンタ部１１と、上部のスキャナ部１２とを備えており、プリント、スキャン、コピー等を実行可能である。なお、スキャナ部１２は任意の構成である。画像記録装置１０は、スキャナ部１２を有さない単機能のプリンタとして実現されてもよい。
【００１８】
画像が記録される記録用紙などの被記録媒体１７（図２）は、トレイ１５に載置される。トレイ１５は、プリンタ部１１の下部に設けられた収納部１３（内部空間に相当する）に収納される。収納部１３は、プリンタ部１１の下方側において、前面より奥側へ凹んだ空間であり、トレイ１５及び排紙トレイ１６を概ね収容可能な容積である。排紙トレイ１６は、トレイ１５の上側に配置されており、画像記録後の被記録媒体１７を受けるものである。収納部１３は、筐体１９の前面の下部に設けられた挿抜口１４により、外部へ露出されている。画像記録装置１０のユーザは、挿抜口１４を介して、収納部１３からトレイ１５を取り出し、又は、トレイ１５を収納部１３へ挿入する。
【００１９】
図２に示されるように、プリンタ部１１は、給送ローラ２０と、搬送路２１と、搬送ローラ対２４、２５と、記録部２８とを備えている。給送ローラ２０は、一端部が回動可能に支持されたアーム３５の他端部に回動可能に設けられており、トレイ１５に載置された被記録媒体１７に当接されている。給送ローラ２０は、不図示の駆動モータから駆動伝達機構を介して伝達される駆動力により回転される。給送ローラ２０の回転により、トレイ１５に載置された被記録媒体１７が搬送路２１へ送り出される。
【００２０】
搬送路２１は、被記録媒体１７が通過可能な空間である。搬送路２１は、トレイ１５の上方に配置されたプラテン２３やガイド部材２２などにより区画されている。搬送路２１は、トレイ１５の後端から上方へ湾曲してプラテン２３の上側へ至り、さらに排紙トレイ１６まで前側へ延出されている。この搬送路２１により、被記録媒体１７がトレイ１５から排紙トレイ１６まで案内される。
【００２１】
搬送ローラ対２４は、前後方向８におけるプラテン２３より後側に配置されている。搬送ローラ対２４は、駆動ローラ２４Ａと従動ローラ２４Ｂとを有している。駆動ローラ２４Ａと従動ローラ２４Ｂとは、搬送路２１を挟んで上下に対向して配置されている。駆動ローラ２４Ａは、不図示の駆動モータから駆動伝達機構を介して伝達される駆動力により回転される。従動ローラ２４Ｂは、駆動ローラ２４Ａに対して接離可能に設けられており、バネにより、駆動ローラ２４Ａへ向かって付勢されている。
【００２２】
搬送ローラ対２５は、前後方向８におけるプラテン２３より前側に配置されている。搬送ローラ対２５は、駆動ローラ２５Ａと従動ローラ２５Ｂとを有している。駆動ローラ２５Ａと従動ローラ２５Ｂとは、搬送路２１を挟んで上下に対向して配置されている。駆動ローラ２５Ａは、不図示の駆動モータから駆動伝達機構を介して伝達される駆動力により回転される。従動ローラ２５Ｂは、駆動ローラ２５Ａに対して接離可能に設けられており、バネにより、駆動ローラ２５Ａへ向かって付勢されている。搬送ローラ対２４、２５は、被記録媒体１７を挟み、駆動ローラ２４Ａ、２５Ａの回転により図２の矢印により示される搬送向きへ被記録媒体１７を搬送する。
【００２３】
記録部２８は、プラテン２３の上方に配置されたキャリッジ２９に搭載されている。キャリッジ２９は、左右方向９（図１）に沿って移動可能に設けられている。キャリッジ２９は、不図示の駆動モータから駆動伝達機構を介して伝達される駆動力により、左右方向９へ往復動する。記録部２８は、不図示のインクカートリッジとチューブを介してインクが供給可能に接続されている。記録部２８は、左右方向９へ移動しながら、プラテン２３上を搬送される被記録媒体１７へ向かってインク滴を吐出する。なお、インク滴を吐出するインクジェット記録方式の記録部２８の代わりに、静電記録方式などの他の記録方式の記録部が用いられてもよい。
【００２４】
供給ローラ２０、搬送ローラ対２４，２５及び記録部２８、並びにこれらへ駆動力を供給するための駆動モータなどを制御するために基板９０が設けられている。基板９０には、各種回路を実現するための電子部品が実装されている。電子部品は、抵抗、ダイオード、コンデンサ、トランジスタなどである。また、基板９０には、マイクロコンピュータが実装されている。マイクロコンピュータがソフトウェアに基づいて動作することにより、給送ローラ２０、搬送ローラ対２４，２５、記録部２８等が所定のタイミングで動作される。また、基板９０には、ディスプレイ７１に表示を行わせるためのドライバも設けられている。
【００２５】
以下に、基板９０と、第１シールド板９２と、第２シールド板９８と、タッチパネル７０と、それらが取り付けられる筐体１９とが詳細に説明される。筐体１９は、第１筐体４０と、第２筐体５０と、前カバー８０と、操作パネル６０とにより構成されている。
【００２６】
［第１筐体４０］
図３，４に示される第１筐体４０は、樹脂成型品であり、絶縁性を有している。第１筐体４０は、底板４１と、左側板４２と、右側板４３と、天板４４（第１壁に相当する）とを備えている。左側板４２は、底板４１の上面の左右方向９における左部から起立している。右側板４３は、底板４１の上面の左右方向９における右部から起立している。天板４４は、左側板４２の上端部の前後方向８における前部と、右側板４３の上端部の前後方向８における前部とを結合している。底板４１と、左側板４２と、右側板４３と、天板４４とにより囲まれた空間が収納部１３である。つまり、天板４４は、収納部１３の天面を区画している。左側板４２、右側板４３には、ガードレールが設けられている。このガイドレールは、トレイ１５（図１）を前後方向８に沿って移動可能に支持する。
【００２７】
天板４４の上面からは、複数本の支持リブ４５が上向きへ突出されている。支持リブ４５は、左右方向９に沿って延びている。図５の一点鎖線の円内の拡大図に示されるように、後述の第１シールド板９２（シールド板に相当する）が支持リブ４５に載置される。支持リブ４５により、天板４４と第１シールド板９２との間に隙間１８が構成されている。隙間１８には、筐体１９内に大量の液体が浸入した際に、液体の一部が流出される。詳しくは後述される。
【００２８】
図６に示されるように、第１筐体４０は、後述の第１シールド板９２、基板９０及び第２シールド板９８の位置決めに用いられる円筒状のボス４６を有している。ボス４６は、天板４４の上面から上向きへ突出されている。ボス４６は、画像記録装置１０の左右方向９における中央部に位置している。また、ボス４６は、前後方向８における天板４４の前端部に位置している。ボス４６は、後述される第１シールド板９２の第１挿通孔９４Ａ、基板９０の第２挿通孔９１、第２シールド板９８の第３挿通孔９９に挿通され、第１シールド板９２、基板９０、第２シールド板９８の位置決めを行う。
【００２９】
図６に示されるように、第１筐体４０は、液体が流れる流路の一部を構成する第１リブ１００、第２リブ１０１、第３リブ１０２、及び第４リブ１０５を有している。第１リブ１００、第２リブ１０１、第３リブ１０２、第４リブ１０５については、後で詳細な説明がされる。
【００３０】
［第２筐体５０］
図３、４に示される第２筐体５０は、樹脂成型品であり、絶縁性を有している。第２筐体５０は、左側板５１と、右側板５２と、後板５３と、上板５４とを備えている。左側板５１は、第１筐体４０の左側板４２の左右方向９における左方に位置しており、左右方向９における筐体１９（図１）の左側壁を構成している。右側板５２は、第１筐体４０の右側板４３の左右方向９における右方に位置しており、左右方向９における筐体１９の右側壁を構成している。後板５３は、前後方向８における左側板５１の後端部と右側壁５２の後端部とを結合しており、前後方向８における筐体１９の後壁を構成している。上板５４は、左側板５１、右側板５２の上部の前後方向８における前部同士を結合しており、第１筐体４０の天板４４の上方に位置している。上板５４と天板４４との間に、基板９０、第１シールド板９２及び第２シールド板９８が配置される。詳しくは後述される。
【００３１】
上板５４の上に、後述の操作パネル６０が取り付けられる。操作パネル６０には、後述のタッチパネル７０が設けられている。上板５４は、操作パネル６０の操作基板（不図示）と基板９０とを電気的に接続するハーネス７６、及びタッチパネル７０と基板９０とを電気的に接続するハーネス７６が挿通される複数個の挿通孔５５を有している。図３では、１つのハーネス７６のみが図示されている。ハーネス７６には、フレキシブルフラットケーブルが用いられている。挿通孔５５は、後述される操作基板の下方と、タッチパネル７０が嵌る操作パネル６０の凹部６２の下方とにそれぞれ設けられている。挿通孔５５に液体が浸入しないように、挿通孔５５の周囲には、第１防水リブ５５Ａが設けられている。第１防水リブ５５Ａは、上板５４の上面から上向きへ突出されており、挿通孔５５を囲っている。
【００３２】
また、上板５４には、上板５４を上下方向７において貫通する第１流入孔５６が設けられている。第１流入孔５６は、後述される流路の一部を構成している。第１流入孔５６については、後で詳細な説明がされる。
【００３３】
［前カバー８０］
図５に示される前カバー８０は、樹脂成型品であり、絶縁性を有している。図３、７及び図５の二点鎖線の円内の拡大図に示されるように、前カバー８０は、筐体１９の前壁を構成する板状の基部８１と、基部８１の後面から後ろ向きへ突出された第５リブ８２及び第６リブ８３と、流路部８４とを備えている。第５リブ８２、第６リブ８３及び流路部８４は、流路の一部を構成するものである。第５リブ８２、第６リブ８３及び流路部８４については、後で詳細な説明がされる。
【００３４】
［操作パネル６０］
図３、４に示される操作パネル６０は、第２筐体５０の上板５４の上に配置されており、筐体１９の上面の前後方向８における前部を区画している。操作パネル６０は、上板５４の上面を覆うカバー部材６１と、カバー部材６１の下面側に配置された一対の操作基板（不図示）と、この操作基板にそれぞれ載置された一対のキー部材６６、６７とを備えている。
【００３５】
カバー部材６１は、上面から凹んだ凹部６２を左右方向９における中央部に有している。後述のタッチパネル７０が凹部６２に嵌めこまれている。凹部６２に嵌め込まれたタッチパネル７０を回動可能に支持する軸受け（不図示）が、凹部６２内に設けられている。
【００３６】
図３の一点鎖線の円内の拡大図に示されるように、凹部６２の底壁６４は、第３孔６９を有している。第３孔６９は、前後方向８における底壁６４の中央部に設けられている。第３孔６９に、タッチパネル７０と基板９０とを電気的に接続するハーネス７６が挿通されている。凹部６２に流れ込んだ液体がハーネス７６を伝って基板９０に到達しないように、凹部６２の周囲には、第２防水リブ６９Ａ（リブに相当する）が設けられている。第２防水リブ６９Ａは、底壁６４の上面（凹部６２の底面）から上向きへ突出されており、第３孔６９を囲んでいる。底壁６４の上面からの第２防水リブ６９Ａの突出量は、第２防水リブ６９Ａと後述のタッチパネル７０とが干渉しない程度に抑えられている。液体が第２防水リブ６９Ａを越えるほどに凹部６２に溜まらないように、底壁６４は、液体が流出される第１孔６５（図４の一点鎖線の円内の拡大図）を有している。第１孔６５は、前後方向８における底壁６４の前端部であって、左右方向９における底壁５４の左端部に設けられている。第１孔６５は、上下方向７において底壁６４を貫通している。図５に示されるように、第１孔６５へ液体が流れこむように、底壁５４の上面は、前方へ向かうにつれて下がるように傾斜されている。図５の一点鎖線の矢印に示されるように、凹部６２に流れ込んだ液体は、第３孔６５を避けて底壁５４の上面を前方へ向かって流れ、第１孔６５から流出される。第１孔６５から流出された液体は、後述される流路により、収納部１３や隙間１８（図５の一点鎖線の円内の拡大図）へ流出される。
【００３７】
図３に示されるように、カバー部材６１は、カバー部材６１を上下方向７において貫通する複数個の露出孔６３を、左右方向９における凹部６２の左右両側に有している。露出孔６３には、操作基板（不図示）に載置されるキー部材６６、６７の釦部６８が嵌まる。
【００３８】
操作基板（不図示）は、カバー部材６１における凹部６２の左右方向９における左右両側となる部位の下側にそれぞれ配置されており、カバー部材６１に取り付けられている。操作基板は、ハーネス７６により、基板９０と電気的に接続されている。操作基板の上面には、電気回路パターンにより、一対の電極が構成されている。一対の電極は、図３に示されるキー部材６６、６７の釦部６８の個数に対応する数だけ設けられている。一対の電極は、後述されるように、キー部材６６、６７により短絡又は開放される。
【００３９】
キー部材６６、６７は、操作基板に載置された不図示のシート部と、このシート部から上向きへ突出された複数個の釦部６８とをそれぞれ備えている。釦部６８は、カバー部材６１の露出孔６３に嵌っており、ユーザによる押し操作を受け付ける。各釦部６８は、操作基板に設けられた一対の電極に接離可能な導電部（不図示）をそれぞれ有している。釦部６８がユーザにより押されると、導電部は、一対の電極に当接し、一対の電極を短絡させる。つまり、一対の電極と導電部とにより、スイッチが構成されている。スイッチからの信号は、ハーネス７６を介して、基板９０に実装されたマイクロコンピュータに入力される。
【００４０】
［タッチパネル７０］
図３、４に示されるように、タッチパネル７０は、ディスプレイ７１と、ディスプレイ７１の表示面側に配置された透明なシート状のタッチスイッチ（不図示）と、ディスプレイ７１を収容するケース７２とを備えている。ディスプレイ７１には、液晶ディスプレイや、プラズマディスプレイや、有機ＥＬディスプレイ等が用いられている。
【００４１】
ケース７２は、薄い直方体状の外形を呈している。左右方向９におけるケース７２の左右両側面からは、左右一対の回動軸７３が左向き又は右向きへ突出されている。回動軸７３は、第１筐体４０に設けられた上述の軸受け（不図示）により支持されている。タッチパネル７０は、回動軸７３及び軸受けにより、回動可能に操作パネル６０に支持されている。タッチパネル７０は、回動軸７３の中心軸線周りに回動されることにより、操作パネル６０の凹部６２に嵌った第１姿勢、及び操作パネル６０から起こされた第２姿勢となる。図１、５には、タッチパネル７０が第２姿勢にある状態が示されている。第２姿勢にあるタッチパネル７０は、チルト機構７４により支持される。タッチパネル７０においてユーザが入力した信号は、ハーネス７６を介して、基板９０に実装されたマイクロコンピュータに入力される。
【００４２】
［第１シールド板９２］
図３に示される第１シールド板９２は、基板９０に対して磁気を遮蔽するためのものであり、鉄板により構成されている。但し、第１シールド板９２の材料には、鉄以外の磁性体が用いられてもよい。
【００４３】
第１シールド板９２は、第１筐体４０の天板４４に設けられた支持リブ４５の上に載置されている。第１シールド板９２は、天板４４の上面からの支持リブ４５の突出量の分だけ、天板４４の上面から離間されている。図５の一点鎖線の円内の拡大図に示されるように、支持リブ４５により、第１シールド板９２と天板４４の上面との間に隙間１８が構成されている。支持リブ４５の上記突出量は、画像記録装置１０の高さを低くするため、第１シールド板９２の板厚（例えば、０．５ｍｍ前後）程度とされている。
【００４４】
第１シールド板９２は、矩形板状に構成されている。第１シールド板９２の上には、絶縁シート９７が載置されている。第１シールド板９２は、前後方向８における前端が基板９０の前端より後側に位置するように基板９０より僅かに小さく構成されており、基板９０の下面をほぼ覆っている。前後方向８における第１シールド板９２の前端より前側に、後述の第３流路３３が設けられる。詳しくは後述される。
【００４５】
図３の二点鎖線の円内の拡大図に示されるように、前後方向８における第１シールド板９２の前端部からは、第１片９３が上向きへ突出されている。第１片９３の上端からは、第２片９４が前向へ突出されている。第２片９４に、基板９０が載置される。第２片９４は、第２片９４を上下方向７において貫通する第１挿通孔９４Ａを有している。第１筐体４０に設けられたボス４６が第１挿通孔９４Ａに挿通される。第１シールド板９２は、第１挿通孔９４Ａに挿入されたボス４６により、位置決めされる。上述のように、第１片９３及び第２片９４は、第１シールド板９２の位置決め、及び基板９０の支持に用いられている。
【００４６】
第１片９３及び第２片９４は、鉄板の一部を折り曲げることにより形成されている。第１片９３が曲げ加工により形成されることにより、第２孔９５が第１シールド板９２に形成されている。第２孔９５は、前後方向８における第１シールド板９２の前端から切り欠いたような切欠状の外形を呈している。第２孔９５は、液体が第１シールド板９２の上側へ流出しないように、前後方向８における第１シールド板９２の前端を後方へ逃がすためのものである。詳しくは後述される。
【００４７】
［基板９０］
図３に示されるように、基板９０は、第１筐体４０の天板４４の上面をほぼ覆う大きさの矩形板状に構成されている。図５の二点鎖線の円内の拡大図に示されるように、基板９０は、第１シールド板９２の第２片９４に載置されている。図７の一点鎖線の円内の拡大図に示されるように、基板９０は、第１筐体４０に設けられたボス４６が挿通される第２挿通孔９１を有している。第２挿通孔９１は、左右方向９における基板９０の中央部であって、且つ前後方向８における基板９０の前端部に設けられており、基板９０を上方方向７において貫通している。基板９０は、第２挿通孔９１に挿通されたボス４６により、位置決めされている。
【００４８】
基板９０は、前カバー８０に設けられた流路部８４との干渉を防止するための嵌合孔９０Ａを有している。嵌合孔９０Ａは、左右方向９における基板９０の中央部より僅かに左寄りの位置に設けられている。嵌合孔９０Ａは、前後方向８における基板９０の前端から切り欠かれた切欠状の外形を呈している。嵌合孔９０Ａに流路部８４が嵌る。
【００４９】
［第２シールド板９８］
図３に示されるように、第２シールド板９８は、基板９０の上に載置されており、基板９０の上面をほぼ覆っている。第２シールド板９８は、鉄板により構成されており、基板９０に対して磁気を遮蔽する。なお、第２シールド板９８の材料には、鉄以外の磁性体が用いられてもよい。
【００５０】
第２シールド板９８は、第１筐体４０に設けられたボス４６が挿通される第３挿通孔９９を有している。第３挿通孔９９は、左右方向９における第２シールド板９８の中央部であって、且つ前後方向８における第２シールド板９８の前端部に設けられており、第２シールド板９８を上方方向７において貫通している。
【００５１】
［流路］
以下では、操作パネル６０の凹部６２に設けられた第１孔６５から筐体１９内に浸入した液体が流れる流路について説明がされる。流路は、第２筐体５０の上板５４、上板５４に設けられた第１流入孔５６、第１筐体４０の天板４４、第１リブ１００、第２リブ１０１、第３リブ１０２、第４リブ１０５、前カバー８０の基部８１、流路部８４、第５リブ８２、第６リブ８３により構成されている。
【００５２】
図５の一点鎖線の矢印に示されるように、操作パネル６０の凹部６２に設けられた第１孔６５から流出された液体は、第２筐体５０の上板５４上を流れ、上板５４に設けられた第１流入孔５６に流入される。図５の二点鎖線の円内の拡大図に示されるように、第１流入孔５６は、液体が基板９０にかからないように、前後方向８における上板５４の前端部に設けられている。第１流入孔５６は、液体が流れ込み易いように、左右方向９における位置が第１孔６５と一致する位置であって、第１孔６５の近傍に設けられている。詳細には、第１流入孔５６は、左右方向９における上板５４の中央部より僅かに左に寄った位置であって、前後方向８における上板５４の前端部に設けられている。また、第１流入孔５６は、液体が流れ込み易いように、すり鉢状の外形を呈している。
【００５３】
［第１流路３１］
第１流入孔５６の下方に、前カバー８０の流路部８４が設けられている。詳細には、図７に示されるように、流路部８４は、前後方向８における基部８１の後面側であって、左右方向９における基部８１の中央部と左端との中間となる位置に設けられている。流路部８４により、第１流路３１が区画されている。つまり、第１流路３１は、流路部８４により区画された空間である。第１流入孔５６から流出された液体は、第１流路３１を下方へ向かって流れる。
【００５４】
［第２流路３２］
第１流路３１を流れた液体は、第１流路３１の下方に設けられた第２流路３２を流れる。第２流路３２は、第１筐体４０に設けられた第１リブ１００、第２リブ１０１、第３リブ１０２と、前カバー８０の基部８１、第５リブ８２、第６リブ８３と、により区画された空間である。
【００５５】
図３、６に示されるように、第１リブ１００は、前後方向８における天板４４の前端部に設けられており、天板４４の上面から上向きへ突出されている。第１リブ１００は、左右方向９における天板４４の中央部から左方へ向かって直線状に延出されている。
【００５６】
第２リブ１０１と第３リブ１０２とは、前後方向８における第１リブ１００の前面から前向きへそれぞれ突出されており、上下方向７において対向している。第２リブ１０１は、第３リブ１０２の上方に位置しており、第３リブ１０２から離間されている。第２リブ１０１及び第３リブ１０２は、左右方向９における第１リブ１００の両端に渡ってそれぞれ設けられている。
【００５７】
図５の二点鎖線の円内の拡大図に示される第５リブ８２は、第２リブ１０１の上に重なる位置に設けられている。第６リブ８３は、第１筐体４０に設けられた第３リブ１０２の下に重なる位置に設けられている。
【００５８】
第１リブ１００と、第２リブ１０１と、第３リブ１０２と、前カバー８０の基部８１と、第５リブ８２と、第６リブ８３とにより、第２流路３２は、左右方向９に延びる直方体状の空間として構成されている。
【００５９】
上側の第２リブ１０１は、流路部８４の下方となる位置に、第２流入孔１０３を有している。詳細には、第２流入孔１０３は、左右方向９における第２リブ１０１の右端寄りの位置に位置している。第２流入孔１０３は、第２リブ１０１を上下方向７において貫通している。第５リブ８２は、第２リブ１０１に設けられた第２流入孔１０３を覆わないように構成されている。詳細には、第５リブ８２は、左右方向９における第２流入孔１０３の左側の縁から左方へ向かって延出されており、左右方向９における第２流入孔１０３の右側の縁から右方へ向かって延出されている。第１流路３１を流れた液体は、第２流入孔１０３から第２流路３２に流れ込む。液体は、第２流路３２を左右方向９における左向き又は右向きへ流れ、左右方向９における第２流路３２の端から収納部１３へ流出される。なお、筐体１９内に浸入した液体を収納部１３へ流出させるのは、画像記録装置１０の外観等を考慮すると、液体を流出させる流出口を前カバー８０の前面側に設けることができないためである。
【００６０】
また、第２リブ１０１の左端から第２流入孔１０３までの長さ、及び、第２リブ１０１の右端から第２流入孔１０３までの長さが所定の長さ以上となるように、第２リブ１０１は構成されている。所定の長さとは、基板９０（図３）に実装された電子部品やマイクロコンピュータへ静電気が放電されないだけの沿面距離が確保される長さである。静電気の放電は、例えば、排紙トレイ１６上の被記録媒体１７（図２）を取り出す際や、トレイ１５（図１）を収納部１３から取り出す際に、ユーザが第６リブ８３の左端又は右端近傍に触れる場合が想定される。また、静電気の放電は、静電気を帯びた被記録媒体１７（図２）が排紙トレイ１６に排出される際に、当該被記録媒体１７が第６リブ８３の左端又は右端近傍に接触する場合が想定される。第２流路３２により、静電気が電子部品等へ放電されないような十分な沿面距離が確保される。
【００６１】
第１リブ１００は、第２流路３２と後述の第３流路３３とを接続する分岐口１０４を、左右方向９における第１リブ１００の中央部付近の上部に有している。分岐口１０４は、第１リブ１００を前後方向８において貫通している。後述されるように、分岐口１０４を通って、液体が第２流路３２から第３流路３３へ流出される。
【００６２】
［第３流路３３］
第３流路３３は、第１筐体４０の天板４４と、第１リブ１００と、第４リブ１０５と、第１シールド板９２の第２孔９５とにより区画された空間であり、第１リブ１００の分岐口１０４から隙間１８（図５の一点鎖線の円内の拡大図）まで液体が流れる流路である。
【００６３】
第４リブ１０５は、天板４４の上面から突出されると共に左右方向９に沿って延出された第１部１０５Ａ及び第２部１０５Ｂを備えている。第１部１０５Ａは、前後方向８における第１リブ１００の後方となる位置であって、第１シールド板９２の前端の前方となる位置（図５の二点鎖線の円内の拡大図）に設けられている。第１部１０５Ａは、左右方向９における長さが第１リブ１００の左右方向９における長さとほぼ同じになるように設けられている。第１部１０５Ａの左端と第１リブ１００の左端とは、不図示のリブにより接続されている。つまり、第３流路３３の左端は閉じられている。
【００６４】
第２部１０５Ｂは、前後方向８及び左右方向９における第１部１０５Ａの後方斜め右となる位置であって、第１シールド板９２の前端より前側となる位置（図５の二点鎖線の円内の拡大図）に設けられている。第２部１０５Ｂは天板４４の右端近くまで延出されている。第１部１０５Ａの右端と、第２部１０５Ｂの左端との間に、流出孔１０６が設けられている。流出孔１０６は、第４リブ１０５の上端から切り欠かれた切欠状の外形を呈している。上述されたように、第１部１０５Ａの左端と第１リブ１００の左端とは不図示のリブにより接続されており、第２部１０５Ｂは天板４４の右端近くまで延出されているので、分岐口１０４から第３流路３３に流れ込んだ液体は、第３流路３３内に溜まるか、或いは、流出孔１０６から隙間１８に流出される。
【００６５】
流出孔１０６は、第１シールド板９２の第２孔９５の下方となる位置に設けられている。流出孔１０６が第２孔９５の下方に位置することにより、第１シールド板９２の前端が流出孔１０６から遠ざけられるので、流出孔１０６から隙間１８へ流出される液体が第１シールド板９２の上側に流れ込むことが防止される。
【００６６】
［流路の作用］
以下では、操作パネル６０に誤って水やお茶やコーヒーなどの液体が零された場合の液体の流れについて説明がされる。
【００６７】
図５の一点鎖線の矢印に示されるように、操作パネル６０に零された液体の一部は、操作パネル６０の凹部６２へ流れ込み、凹部６２の底壁６４の上面を前方へ向かって流れる。底壁６４を流れる液体は、第３孔６９を囲む第２防水リブ６９Ａにより、第３孔６９へ流れ込むことなく第１孔６５へ流れ込み、凹部６２から流出される。第１孔６５において凹部６２から流出された液体は、第２筐体５０の上板５４の上を流れる。挿通孔５５を囲む第１防水リブ５５Ａにより、液体は、挿通孔５５に流れ込むことなく第１流入孔５６へ流れ込む。第１流入孔５６へ流れ込んだ液体は、第１流入孔５６の下方に設けられた流路部８４（第１流路３１）へ流れ込む。図５の二点鎖線の円内の拡大図の破線の矢印に示されるように、第１流路３１へ流れ込んだ液体は、下方へ向かって流れ、第２リブ１０１に設けられた第２流入孔１０３から第２流路３２へ流れ込む。
【００６８】
タッチパネル７０が第１姿勢にあって凹部６２に嵌った状態においては、第２流路３２へ流れ込む液体の量は、タッチパネル７０が第２姿勢にあって凹部６２が開放されている状態に比べ、少ない。液体の量が少ない場合は、図６の二点鎖線の矢印に示されるように、液体は、第２流路３２をそのまま流れ、収納部１３へ流出される。つまり、筐体１９内に浸入した液体の量が少ない場合には、液体は、第３流路３３を流れずに第２流路３２を流れ、収納部１３へ流出される。
【００６９】
タッチパネル７０が図５に示される第２姿勢にあって凹部６２が開放されている状態においては、第２流路３２に大量の液体が流れ込むことが想定される。第２流路３２へ大量の液体が流れ込んだ場合は、液体の一部は、第２リブ１０１の上を左方へ流れ、第１リブ１００に設けられた分岐口１０４から第３流路３３へ流れ込む。図６の一点鎖線の矢印に示されるように、第３流路３３に流れ込んだ液体は、最初右向きへ流れ、その後、向きを変えて左向きへ流れ、流出孔１０６から隙間１８（図５の一点鎖線の円内の拡大図）へ流出される。液体は、流れの向きが変わることにより、緩やかに隙間１８へ流出される。上述されたように、第１シールド板９２が載置された支持リブ４５の突出量は、第１シールド板９２の板厚程度であるので、隙間１８へ流出された液体は、毛細管現象により、隙間１８全体へ広がる。隙間１８内に広がった液体は、時間の経過とともに、蒸発する。
【００７０】
［本実施形態の効果］
上述されたように凹部６２から筐体１９内に浸入した液体の量が少ない場合には、液体は、第１流路３１及び第２流路３２を流れ、収納部１３へ流出される。凹部６２から筐体１９内に浸入した液体の量が多い場合には、当該液体の一部は、第３流路３３を通じて隙間１８へ流出される。よって、筐体１９内に浸入した液体の量に拘わらず、液体が基板９０に到達することを防止できる。また、第３流路３３が設けられたことにより、第２流路３２の断面積を大きくしたり、第２流路３２の数を増やす必要がないので、画像記録装置１０が大型化することがない。また、第３流路３３が設けられたことにより、第２流路３２の底面を区画する第３リブ１０２及び第６リブ８３に孔を設けて液体が第２流路３２を流れ易くする必要がないので、基板９０への放電のリスクが増えることがない。よって、本実施形態の画像記録装置１０は、装置の大型化や、基板９０への放電のリスクを増やすことなく、操作パネル６０に零された液体が基板９０に到達することを防止できる。その結果、静電気や液体による電子部品の破壊及び誤動作のない小型の画像記録装置１０が実現されている。
【００７１】
本実施形態では、上述のように、基板９０への放電のリスクを低減できるので、挿抜口１４を画像記録装置１０の正面側に設けることができる。つまり、静電気が基板へ放電されるリスクの大きい画像記録装置では、流路の出口にユーザが容易に触れることができないようにする必要があり、挿抜口１４を画像記録装置１０の正面側に設けることが困難である。本実施形態では、挿抜口１４を画像記録装置１０の正面側に設けることができ、その結果、操作パネル６０及びトレイ１５へのアクセスが容易であって、操作性の良い画像記録装置１０が実現されている。
【００７２】
また、本実施形態では、基板９０に対する磁気を遮蔽する第１シールド板９２を利用して基板９０への液体の到達を防止している。よって、部品点数が抑えられている。
【００７３】
また、本実施形態では、第１リブ１００の上部に設けられた分岐口１０４により、第２流路３２と第３流路３３とを接続している。よって、筐体１９内に浸入した液体が少ない場合に、第３流路３３より優先して、第２流路３２に液体を流すことができる。
【００７４】
また、本実施形態では、第１シールド板９２に第２孔９５が設けられたことにより、前後方向８における第１シールド板９２の前端が流出孔１０６から遠ざけられている。よって、第３流路３３内の液体が隙間１８へ流出される際に、液体の一部が第１シールド板９２の上へ流れ込むことを、確実に防止できる。また、第１片９３を曲げ加工により形成する際に、同時に第２孔９５を形成できるから、第１シールド板９２の形成が容易である。
【００７５】
また、本実施形態では、操作パネル６０の凹部６２に第２防水リブ６９Ａが設けられているので、凹部６２に溜まった液体がハーネス７６を伝って基板９０に到達することが防止される。
【００７６】
また、本実施形態では、隙間１８へ到達した液体は、毛細管現象により隙間１８全体へ広がるので、液体が隙間１８へ流出せずに第１シールド板９２の上へ流れ込むことを、より確実に防止できる。
【００７７】
［変形例］
上述の実施形態では、第１リブ１００の上部に分岐口１０４が設けられた例が説明された。しかしながら、第１リブ１００に分岐口１０４が設けられない構成とすることもできる。上述されたように、第４リブ１０５の第１部１０５Ａの左右方向９における長さは、第１リブ１００の左右方向９における長さとほぼ同じである。よって、分岐口１０４が設けられていなくても、第１リブ１００を乗り越えた液体（第２流路３２から溢れた液体）は、必ず第３流路３３へ流れ込む。
【００７８】
上述の実施形態では、第１リブ１００の上部に設けられた分岐口１０４により第３流路３３を第２流路３２に接続し、筐体１９内に浸入した液体の量が多い場合に、当該液体の一部を第３流路３３に流入させる例が説明された。しかしながら、以下のように第３流路３３を構成して第２流路３２に接続してもよい。第３流路３３は、第２流路３２よりも液体が流れ難くなるように構成される。例えば、第３流路３３は、第２流路３２よりも細く構成される。或いは、第３流路３３を区画する壁の壁面は、第２流路３２を区画する壁の壁面より粗くされる。そうして、第２流路３２を流れる液体の一部が第３流路３３へ流れ込むように、第２流路３２と第３流路３３とを接続する。第１流路３１から第２流路３２に流れ込んだ液体の一部は第３流路３３に流れ込むから、筐体１９内に大量の液体が浸入した場合にも、第２流路３２から液体が溢れることがなく、液体が基板９０に到達するこを防止できる。なお、筐体１９内に浸入した液体の量が少ない場合にも、第３流路３３へ液体が流れ込むが、筐体１９内に浸入した液体の量が少なく、且つ第２流路３２の方が第３流路３３よりも液体が流れ易いから、第３流路３３により隙間１８へ流出される液体の量は、ごく僅かである。
【００７９】
上述の実施形態では、タッチパネル７０を備えた画像記録装置１０に第１流路３１、第２流路３２及び第３流路３３が設けられた例が説明された。しかしながら、タッチパネル７０の代わりに、ディスプレイ７１のみを有する表示パネルを備えた画像記録装置１０に、第１流路３１、第２流路３２及び第３流路３３が設けられてもよい。
【００８０】
隙間１８に、液体を吸収するスポンジ等の吸収部材が配されていてもよい。隙間１８へ流出された液体は、この吸収部材に吸収され、隙間１８全体へ広がる。吸収部材により、第３流路３３内の液体が隙間１８へ流出し易くなる。その結果、第１シールド板９２の上へ液体が流れ込んで基板９０へ到達することを、より確実に防止できる。
【００８１】
上述の実施形態では、支持リブ４５により、天板４４と第１シールド板９２との間に隙間１８を構成する例が説明されたが、天板４４の上面から凹んだ凹みを天板４４に設けることにより隙間１８が構成されてもよい。
【００８２】
上述の実施形態では、操作パネル６０の凹部６２に対して、第１流路３１、第２流路３２及び第３流路３３が設けられた例が説明された。操作パネル６０には露出孔６３が設けられているから、露出孔６３に対して流路が設けられてもよい。但し、露出孔６３にはキー部材６６、６７が嵌っているので、大量の液体が露出孔６３から浸入することは想定し難い。よって、露出孔６３に対しては、第１流路３１及び第２流路３２が設けられればよい。
【００８３】
上述の実施形態では、第２筐体５０の上板５４、及び上板５４に設けられた第１流入孔５６により、筐体１９内に浸入した液体を第１流路３１へ流し込む例が説明された。しかしながら、他の構成により、筐体１９に浸入した液体が第１流路３１へ流し込まれてもよい。例えば、操作パネル６０の凹部６２の第１孔６５と、第１流路３１を構成する流路部８４とを配管などの部材で接続し、筐体１９内に浸入した液体を第１流路３１へ流し込んでもよい。
【符号の説明】
【００８４】
１０・・・画像記録装置
１３・・・収納部（内部空間）
１５・・・トレイ
１７・・・被記録媒体
１８・・・隙間
１９・・・筐体
３１・・・第１流路
３２・・・第２流路
３３・・・第３流路
４４・・・天板（第１壁）
６０・・・操作パネル
６２・・・凹部
６４・・・底部
６５・・・第１孔
６９・・・第３孔
６９Ａ・・第２防水リブ（リブ）
７０・・・タッチパネル
７１・・・ディスプレイ
７６・・・ハーネス
８０・・・前カバー
９０・・・基板
９２・・・第１シールド板（シールド板）
９５・・・第２孔
１０４・・分岐口
【図１】
0005796343.tif 000002
【図２】
0005796343.tif 000003
【図３】
0005796343.tif 000004
【図４】
0005796343.tif 000005
【図５】
0005796343.tif 000006
【図６】
0005796343.tif 000007
【図７】
0005796343.tif 000008